(57)【要約】【課題】  積荷を積載する際にテープ端部に衝突して破損したり剥離したりすることを防止するとともに、デッキボードに雨水などがたまることなく衛生的な合成樹脂製パレットを提供する。【解決手段】  上面デッキボード２の周縁に切り欠き部６を設け、この切り欠き部６の内側には、滑り止めテープ７の端部７１の表面が上面デッキボード２の表面２１よりも突出しないように傾斜面２２が設けられており、上面デッキボード２の表面２１と傾斜面２２と合成樹脂製パレットの側面２３とは連続している。【選択図】  図４
2010195435.tif 000002
【特許請求の範囲】
【請求項１】
デッキボードと桁部を有する合成樹脂製パレットにおいて、
前記デッキボードの周縁には、少なくとも一対の切り欠き部が対向する位置に設けられており、
前記切り欠き部の内側には傾斜面が形成されており、
前記デッキボードの表面と前記傾斜面と合成樹脂製パレットの側面とが連続するように設けられ、
前記切り欠き部の内側に滑り止めテープが貼り合わされるようにされていること
を特徴とする合成樹脂製パレット。
【請求項２】
前記切り欠き部の内側の幅をＷＰとし、前記滑り止めテープの幅をＷＴとしたときに、ＷＴ≦ＷＰとされている請求項１に記載の合成樹脂製パレット。
【請求項３】
少なくとも前記傾斜面には、少なくとも１つ以上の凸部が形成されている請求項１又は２に記載の合成樹脂製パレット。
【請求項４】
前記凸部は、凸条形状であって、前記切り欠き部の幅方向と略平行となるように設けられている請求項３に記載の合成樹脂製パレット。
【発明の詳細な説明】
【技術分野】
【０００１】
本発明は、種々の物品を積載面に載置して運搬や保管等するために使用される合成樹脂製パレットに関するものである。
【背景技術】
【０００２】
合成樹脂製パレットは、耐衝撃性、耐久性、成形性などに優れている反面、滑りやすいという難点がある。そこで、合成樹脂製パレットのデッキボードの表面に、高分子材料からなる滑り止めテープを熱風などで溶着して貼り合わせたものがある。
【０００３】
例えば、デッキボードの周縁に切り欠きのある外周枠を設け、外周枠の両端部近傍にまで滑り止めテープを貼った合成樹脂製パレットがある。この合成樹脂製パレットでは、外周枠に切り欠き部を設けることによって、押圧ローラを外周枠の近傍まで押し付けることができるので、滑り止めテープも外周枠の両端部にまで貼り合わせることができ、幅広の外周枠が付設された合成樹脂製パレットを多段に重ねた場合であっても上位のパレットの滑りを防止して、安定した姿勢で多段に積載することができるというものである（特許文献１参照）。
【０００４】
また、デッキボードに細長溝を形成し、テープ本体部の下端部両側に長手方向にわたって側方に突出する帯片を設けた滑り止めテープを細長溝の内面側に密着させ、滑り止めテープの上面部をデッキ面の上面より上方に突出させた合成樹脂製パレットがある。この合成樹脂製パレットでは、細長溝の端部の底部に堰部を形成し、滑り止めテープの端部の上面が堰部の上面と面一とすることで、滑り止めテープの端部の上部が上方に突出することがなくて、フォークリフトのフォークの先端が滑り止めテープの端部に当たったり、あるいは滑り止めテープの端面部に他の物が引っ掛かったりすることがないというものである（特許文献２参照）。
【０００５】
また、デッキボードに滑り止めテープを溶着するための溝を形成し、この溝の底面と端部側のデッキボード側壁とによって形成された角部を略直角とし、デッキボードの周縁をこの溝の深さよりも大きな曲率半径であってかつ角部に相当する位置まで連続する曲面に形成し、テープの端部を角部に沿って面取り加工してある合成樹脂製パレットがある。この合成樹脂製パレットでは、テープ端部に積荷などが接触した際にその衝撃を適度に逃がし得る程度の傾斜を形成していることから、テープの剥離防止機能が一層向上されているというものである（特許文献３参照）。
【先行技術文献】
【特許文献】
【０００６】
【特許文献１】特開２００３−２８５８３８号公報
【特許文献２】特開平１１−２０８６６２号公報
【特許文献３】特開平０７−０６１４４７号公報
【発明の概要】
【発明が解決しようとする課題】
【０００７】
しかしながら、特許文献１の合成樹脂製パレットでは、デッキボードの周縁に外周枠を設けていることから、たとえこの外周枠に切り欠き部を有していても、デッキボード表面に雨水などがたまってしまう不具合がある。
【０００８】
また、特許文献２の合成樹脂製パレットでは、テープ本体部の下端部両側に長手方向にわたって側方に突出する帯片を設けているという、テープの特殊形状が必要とされる。さらに、細長溝の端部の底部に堰部を形成していることから、テープを自動機で溶着することが困難であり、この堰部に雨水などがたまってしまうという不具合もある。
【０００９】
また、特許文献３の合成樹脂製パレットでは、雨水などがたまるという不具合は低減されるものの、テープ端部がデッキボード表面に突出するため、積荷を積載する際に積荷がテープ端部に衝突して、テープ端部が破損したり剥離したりする不具合がある。
【００１０】
本発明は、このような実情に鑑み、積荷を積載する際にテープ端部に衝突して破損したり剥離したりすることを防止するとともに、デッキボードに雨水などがたまることなく衛生的な合成樹脂製パレットを提供することにある。
【課題を解決するための手段】
【００１１】
すなわち、本発明は、デッキボードと桁部を有する合成樹脂製パレットにおいて、デッキボードの周縁には、少なくとも一対の切り欠き部が対向する位置に設けられており、切り欠き部の内側には傾斜面が形成されており、デッキボードの表面と傾斜面と合成樹脂製パレットの側面とが連続するように設けられ、切り欠き部の内側に滑り止めテープが貼り合わされるようにされていることを特徴とする合成樹脂製パレットを提供する。
【発明の効果】
【００１２】
本発明に係る合成樹脂製パレットによれば、デッキボードの周縁に設けた切り欠き部の内側に傾斜面が形成されており、デッキボードの表面と傾斜面とデッキボードの側面とが連続するように設けられていることから、切り欠き部の内側に溶着された滑り止めテープの端部に積荷などが衝突することがなく、テープの端部が破損したり、剥離することがない。また、デッキボード表面に雨水などが溜まることもないから、衛生的である。
【図面の簡単な説明】
【００１３】
【図１】本発明の一実施形態である二方差し合成樹脂製パレットの平面図である。
【図２】図１におけるＡ矢視線の側面図である。
【図３】図１におけるＢ矢視線の側面図である。
【図４】図１に示す二方差し合成樹脂製パレットに滑り止めテープを貼り合わせた状態を示す部分拡大図である。
【図５】本発明の他の実施形態の合成樹脂製パレットの部分拡大図である。
【図６】図５において滑り止めテープを貼り合わせた状態のＣ−Ｃ線断面図である。
【図７】図６において積荷を積載する際の様子を示す模式図である。
【発明を実施するための形態】
【００１４】
以下、図面を参照しながら、本発明を詳細に説明する。図１は、本発明の一実施形態による二方差し合成樹脂製パレット（以下、単にパレットということがある）１の平面図である。このパレット１は、上面デッキボード２と下面デッキボード３と桁部４から形成されており、桁部４として端桁４１、４１と中間桁４２を有している。そして、端桁４１、４１と中間桁４２の端面同士を溶着することにより、端桁４１と中間桁４２との間にフォーク挿入孔５が形成されている（図２参照）。なお、パレット１は二方差しであることから、一対の側面側のみにフォーク挿入孔５が形成され、他の一対の側面側にはフォーク挿入孔は形成されていない（図３参照）。パレット１の上面デッキボード２の周縁には切り欠き部６が形成され、表面には滑り止めテープ７が溶着されている。この切り欠き部６は、滑り止めテープ７を上面デッキボード２に溶着する際に、滑り止めテープ７の端部の表面が上面デッキボード２の表面２１よりも突出しないように設けられている。なお、滑り止めテープ７としては、厚み（ｔ）が２〜５ｍｍ程度、幅（ＷＴ）が５〜２５ｍｍ程度のものがある。
【００１５】
通常、上面デッキボード２に積載された積荷が滑らないように、滑り止めテープ７は、上面デッキボード２の一方の端部から、これに対向する他方の端部にわたって溶着される。特に、リール状に巻かれた滑り止めテープ７を自動機で連続的に溶着する場合には、上面デッキボード２の一方の端部から、これに対向する他方の端部にわたって直線上に溶着されることが好ましい。したがって、切り欠き部６は上面デッキボード２の周縁の一方の端部に形成するとともに、これに対向する他方の端部に形成するようにして、一対の切り欠き部６を上面デッキボード２の周縁の対向する位置に設けている（図１参照）。なお、上面デッキボード２の表面２１に、一対の切り欠き部６に対応するようにして切り欠き部６の幅と同様の幅の溝を形成してもよい。
【００１６】
図４に示すように、この切り欠き部６の内側には、滑り止めテープ７の端部７１の表面が上面デッキボード２の表面２１よりも突出しないように傾斜面２２が設けられており、上面デッキボード２の表面２１と傾斜面２２と合成樹脂製パレットの側面２３とは連続している。なお、切り欠き部６の側面２４は、上面デッキボード２の表面２１と略直角（θ≒０°の場合）とされていてもよいが、滑り止めテープ７を収容し易くするために、上面デッキボード２の表面２１方向に拡がるようにして、表面２１に形成されていることが好ましい。また、切り欠き部６の側面２４を湾曲面としてもよい。さらに、上面デッキボード２の表面２１と切り欠き部６の側面２４とパレット１の側面２３とが連続して湾曲面を形成していてもよい。
【００１７】
傾斜面２２は、平面状であってもよいが、滑り止めテープ７の剛性及び積荷を積載する際の接触状態を考慮して、湾曲状に形成することが好ましい。この傾斜面２２が平面状であると、上面デッキボード２の表面２１と傾斜面２２との境界及び傾斜面２２と合成樹脂製パレットの側面２３との境界において屈曲面部分が生じることになるが、湾曲状であれば上面デッキボード２の表面２１と傾斜面２２と合成樹脂製パレットの側面２３とがなめらかに連続することになるため、積荷を積載する際に、滑り止めテープ７の表面への積荷の接触による衝撃が緩和される。したがって、このような湾曲状の傾斜面とする際には、側面視円形の一部分の形状とすることが好ましく、特に側面視楕円形の一部分の形状の体をなすことが好ましい。さらに、側面視楕円形における短軸がデッキボードの表面と傾斜面との境界に位置するようにし、長軸が傾斜面と合成樹脂製パレットの側面との境界に位置するようにすることが好ましい（図６参照）。
【００１８】
滑り止めテープ７を溶着する場合には、熱風を上面デッキボード２の表面２１と滑り止めテープ７の裏面とに吹き付けながら、加圧ローラで滑り止めテープ７の表面を押し付けるようにして溶着する方法が簡便であるため、切り欠き部６の内側の幅をＷＰとし、滑り止めテープ７の幅をＷＴとしたときに、ＷＴ≦ＷＰとされていることが好ましい。ＷＰ＝ＷＴとすると滑り止めテープ７は切り欠き部６の内側にきっちりと隙間無く収まるために雨水などが滑り止めテープ７の下面に侵入することもない。しかし、自動機で貼り合わせる場合には、多少のクリアランスがあった方がよいため、ＷＴ＜ＷＰとされていることが好ましい。また、通常、加圧ローラは滑り止めテープ７の全面を押し付けるようにされていることから、切り欠き部６の内側の幅は、この加圧ローラの幅よりも僅かに大きくしておくことが好ましい。この場合、切り欠き部６の内側には、切り欠き部６の側面２４と滑り止めテープ７との間に隙間が生じることになるが、切り欠き部６の内側の傾斜面２２が、上面デッキボード２の表面２１と合成樹脂製パレットの側面２３とに連続して形成されていることにより、雨水などが溜まることもない。
【００１９】
また、図５に示すように、滑り止めテープ７の端部７１の溶着強度を向上させるために、傾斜面２２に少なくとも１つ以上の凸部２５を形成することも好ましい。熱風を吹き付けた際に、この凸部２５の熱伝導効率が向上しているため、いわゆる「のりしろ」のように機能して、簡単に滑り止めテープ７を溶着することができる。溶着後は、滑り止めテープ７の端部７１の一部７２をカッターなどで切断し、端部７１が合成樹脂製パレットの側面２２から突出しないように処理される（図６参照）。
【００２０】
凸部２５の形状は、例えば、三角錐状であっても、円柱状であっても、半球状であってもよいが、切り欠き部６の幅方向と略平行となるような凸条形状の凸部２５とすることが特に好ましい。切り欠き部６の幅方向と略平行ということは、滑り止めテープ７の長さ方向に対して略直交する方向ということになるから、合成樹脂製パレットに撓みが生じて滑り止めテープ７に引張応力や圧縮応力が作用しても、十分な接着強度を保持し、剥離し難くなる。なお、傾斜面２２に複数の凸部２５（又は凸条形状の凸部）は、全て同じ大きさであっても、異なる大きさであっても構わない。また、このような凸部２５を傾斜面２２のみならず、滑り止めテープ７が溶着される上面デッキボード２の表面２１の適宜の位置に設けてもよい。
【００２１】
また、この凸条形状の凸部２５を切り欠き部６の内側の傾斜面２２に形成することにより、合成樹脂製パレットに滑り止めテープ７を溶着しないで使用する場合でも、補強リブとしての効果を生じることになるため、衝撃強度をも向上させる利点がある。この場合には、上面デッキボード２の表面側に隣接する凸部の大きさを、その頂部（又は凸部の一部）が上面デッキボード２の表面２１から突出しないような大きさとし、また、合成樹脂製パレットの側面側に隣接する凸部の大きさを、その頂部（又は凸部の一部）が合成樹脂製パレットの側面２３から突出しないような大きさとすればよい。
【００２２】
このようにして作製された合成樹脂製パレット１に積荷８を積載する際に、積荷８が滑り止めテープ７の端部７１に衝突したり、接触したりすることがないため、滑り止めテープ７が剥離することもない（図７参照）。
【産業上の利用可能性】
【００２３】
滑り止めテープを溶着する合成樹脂製パレットであれば、デッキボードと桁部のみから構成されるネスティングタイプの合成樹脂製パレットであってもよく、二方差しタイプであっても四方差しタイプであってもよく、両面使用でも片面使用のものであってもよい。
【符号の説明】
【００２４】
１  合成樹脂製パレット
２  上面デッキボード
２１  上面
２２  傾斜面
２３  合成樹脂製パレットの側面
２４  切り欠き部の側面
２５  凸部
３  下面デッキボード
４  桁部
４１  隅桁
４２  中間桁
５  フォーク挿入孔
６  切り欠き部
７  滑り止めテープ
７１  滑り止めテープの端部
８  積荷
【図１】
2010195435.tif 000003
【図２】
2010195435.tif 000004
【図３】
2010195435.tif 000005
【図４】
2010195435.tif 000006
【図５】
2010195435.tif 000007
【図６】
2010195435.tif 000008
【図７】
2010195435.tif 000009